(57)【要約】【課題】特定の形状の座面を有する２種類のＡ、Ｂベンチだけを用いて、各種形態の組合わせベンチを得る。【解決手段】内角を９０度とする第１の２等辺（ａ辺）と、その各２辺との内角を１０５度とする第２の２等辺（ｂ辺）とを有する平面視多角形状の座面を備える単数または複数のＡベンチ２と、底辺（ｄ辺）との内角が７５度で、Ａベンチの第２の等辺（ｂ辺）と同長の２辺（ｅ辺）を有する平面視台形状の座面を備える単数または複数のＢベンチ３とを、座面の辺端面同士を突き合わせて左右対称または非対称に組合わせることにより、組合わせベンチ１を形成する。【選択図】　　　　図４
2004129718.tif 000002
【特許請求の範囲】
【請求項１】
内角を９０度とする第１の２等辺（ａ辺）と、その各２辺との内角を１０５度とする第２の２等辺（ｂ辺）とを有する平面視多角形状の座面を備える単数または複数のＡベンチと、底辺（ｄ辺）との内角が７５度で、Ａベンチの第２の等辺（ｂ辺）と同長の２辺（ｅ辺）を有する平面視台形状の座面を備える単数または複数のＢベンチとを、座面の辺端面同士を突き合わせて左右対称または非対称に組合わせることによって形成したことを特徴とする組合わせベンチ。
【請求項２】
前記Ａベンチにおける座面を、２つのａ辺と２つのｂ辺とからなる平面視四角形状のものとしたことを特徴とする請求項１記載の組合わせベンチ。
【請求項３】
前記Ａベンチにおける座面を、２つのｂ辺の一端同士を直線またはゆるやかな曲線で連結した平面視五角形状のものとしたことを特徴とする請求項１記載の組合わせベンチ。
【請求項４】
座面における等長の辺端面同士を突き合わせたことを特徴とする請求項１〜３のいずれかに記載の組合わせベンチ。
【請求項５】
請求項１〜３のいずれかに記載のＡベンチ複数個を、等長辺の端面同士を突き合わせて組合わせることによって形成したことを特徴とする組合わせベンチ。
【請求項６】
前記Ａベンチ４個を、隣接するＡベンチにおける座面のａ辺の端面同士を突き合わせて、平面視において、ほぼ八辺形に組合わせることによって形成したことを特徴とする請求項５記載のベンチ。
【請求項７】
前記Ａベンチ６個を、隣接するＡベンチにおける座面のｂ辺の端面同士を突き合わせて、平面視において、ほぼ十二辺形に組合わせることによって形成したことを特徴とする請求項５記載のベンチ。
【請求項８】
請求項１記載のＢベンチ複数個を、等長辺の端面同士を突き合わせて組合わせることによって形成したことを特徴とする組合わせベンチ。
【発明の詳細な説明】
【０００１】
【発明の属する技術分野】
本発明は、組合わせベンチに関し、特に変化に富んだ各種の組合わせが可能な組合わせベンチに関する。
【０００２】
【従来の技術】
組合わせベンチは公知であるが、従来の組合わせベンチは、単に１種類または極めて少ない種類の組合わせができるに過ぎなかった（たとえば、非特許文献１参照）。
そのため、デザイン上において、変化に富んだ組合わせベンチを形成することができないばかりでなく、たとえば、人数の変化に応じて、的確な大きさや形態の組合わせベンチに変更することができず、使用面で制限があった。また、デザインを各種変更できる組合わせベンチを得ようとすれば、種々の形状を有する座面を備えるベンチを多種類、組合わせなければならなかった。
【０００３】
【非特許文献１】
株式会社　岡村製作所発行「オカムラ総合カタログ２００２」第５６６頁
【０００４】
【発明が解決しようとする課題】
本発明は、特定の形状の座面を備える実質的に２種類のＡ、Ｂベンチだけを用いて、これらを組合わせることにより、デザイン上において極めて変化に富んだ各種の組合わせベンチを得ることができるばかりでなく、その組合わせベンチを、使用する人数の変化に対しても幅広く対応できるとともに、使用する目的に応じて、たとえば、左右方向に広がるベンチや全方向に広がるベンチなどと、組合わせ形態の自由度が大きく、各種の用途に好適に対応することができる組合わせベンチを提供することを目的とする。
【０００５】
【課題を解決するための手段】
本発明によると、上記課題は、次のようにして解決される。
（１）　内角を９０度とする第１の２等辺（ａ辺）と、その各２辺との内角を１０５度とする第２の２等辺（ｂ辺）とを有する平面視多角形状の座面を備える単数または複数のＡベンチと、底辺（ｄ辺）との内角が７５度で、Ａベンチの第２の等辺（ｂ辺）と同長の２辺（ｅ辺）を有する平面視台形状の座面を備える単数または複数のＢベンチとを、座面の辺端面同士を突き合わせて左右対称または非対称に組合わせることによって形成したことを特徴とする組合わせベンチとする。
【０００６】
（２）　上記（１）項において、Ａベンチにおける座面を、２つのａ辺と２つのｂ辺とからなる平面視四角形状のものとする。
【０００７】
（３）　上記（１）項において、Ａベンチにおける座面を、２つのｂ辺の一端同士を直線またはゆるやかな曲線で連結した平面視五角形状のものとする。
【０００８】
（４）　上記（１）項〜（３）項のいずれかにおいて、座面における等長の辺端面同士を突き合わせる。
【０００９】
（５）　上記（１）項〜（３）項のいずれかに記載のＡベンチ複数個を、等長辺の端面同士を突き合わせて組合わせることによって形成した組合わせベンチとする。
【００１０】
（６）　上記（５）項において、Ａベンチ４個を、隣接するＡベンチにおける座面のａ辺の端面同士を突き合わせて、平面視において、ほぼ八辺形に組合わせたものとする。
【００１１】
（７）　上記（５）項において、Ａベンチ６個を、隣接するＡベンチにおける座面のｂ辺の端面同士を突き合わせて、平面視において、ほぼ十二辺形に組合わせたものとする。
【００１２】
（８）　上記（１）項に記載のＢベンチ複数個を、等長辺の端面同士を突き合わせて組合わせることによって形成した組合わせベンチとする。
【００１３】
【発明の実施の形態】
本発明の組合わせベンチは、２種類の特定形状の座面をそれぞれ備えるベンチを、組合わせることによって形成される。
【００１４】
図１は、前記２種類のうちの１種類の座面（１００）の平面図である。
図示するように、１種類の座面（１００）は、内角を９０度とする第１の２等辺（以下、「ａ辺」という）と、その各２辺との内角を１０５度とする第２の２等辺（以下、「ｂ辺」という）とを有する平面視がほぼ四角形状のものである。
【００１５】
図２は、図１に示す座面の一部変形例である座面（２００）の平面図であり、前記２つのｂ辺の一端同士を直線ｃ辺で連結した平面視が五角形状のものである。
なお、２つのｂ辺の一端同士をゆるやかな曲線で連結して、平面視がほぼ五角形状のものとしてもよい。
【００１６】
これら図１、図２に示すような座面を備えるベンチを、以下、「Ａベンチ」と称する。
【００１７】
図３は、前記特定形状の座面のうちの他の１種類の座面（３００）の平面図である。
図示するように、他の１種類の座面（３００）は、底辺（以下、「ｄ辺」という）との内角が７５度で、Ａベンチにおける座面（１００）（２００）の第２の等辺（ｂ辺）と同長の２辺（以下、「ｅ辺」という）を有する平面視が台形状のものである。
なお、前記台形の上辺を以下「ｆ辺」という。
【００１８】
図３に示すような座面を備えるベンチを、以下、「Ｂベンチ」と称する。
【００１９】
本発明の組合わせベンチは、単数または複数の各Ａ、Ｂベンチを、座面の辺端面同士を突き合わせて、左右対称または非対称に組合わせることによって形成することを特徴とするものである。
【００２０】
図４は、本発明の代表的実施形態の組合わせベンチ（１）の斜視図である。
【００２１】
Ａ、Ｂベンチ各４個を、Ａベンチ（２）とＢベンチ（３）を交互に、かつＢベンチ（３）における座面のｄ辺が外側になるように配置し、Ａベンチ（２）における座面のｂ辺とＢベンチ（３）における座面のｅ辺との等長辺の端面同士を突き合わせ、平面視において、四辺形に組合わせることによって、組合わせベンチ（１）を形成してある。
【００２２】
なお、Ａベンチ（２）としては、図２に示した座面を備えるものを用いてある。以下に示す図５、図６、図８に示す実施形態についても同様である。
【００２３】
この組合わせベンチ（１）は、８、９名程度の人数を対象とし、四方から座ることができるとともに、中央の空開部には、たとえば新聞や雑誌などを載置する図示を省略した回転ラックを置くこともできる。
【００２４】
図５は、他の実施形態の組合わせベンチ（４）の斜視図である。１個のＢベンチ（５）における座面の両側のｅ辺の端面に、それぞれＡベンチ（６）（６）各１個を、その座面のｂ辺の端面を突き合わせて組合わせベンチ（４）を形成してある。
【００２５】
この組合わせベンチ（４）は、少人数を対象としたものである。
【００２６】
図６は、さらに他の実施形態の組合わせベンチ（７）の斜視図である。
【００２７】
Ａベンチ（８）２個とＢベンチ（９）３個を、Ａベンチ（８）とＢベンチ（９）を交互に、かつＡベンチ（８）における座面のｂ辺とＢベンチ（９）における座面のｅ辺との端面同士を突き合わせ、平面視において、ほぼＶ字状に組合わせることによって、組合わせベンチ（７）を形成してある。
【００２８】
この組合わせベンチ（７）は、図４と図５に示した組合わせベンチ（１）（４）の対象人数の中間の人数を対象とし、変化に富んだデザインを有している。
【００２９】
本発明の組合わせベンチは、前記Ａベンチのみを用い、その複数個を、等長辺の端面同士を突き合わせて組合わせることによっても形成することができる。
【００３０】
図７、図８は、Ａベンチのみを用いて形成した組合わせベンチの斜視図である。
【００３１】
図７に示す組合わせベンチ（１０）は、４個のＡベンチ（１１）を、隣接するＡベンチ（１１）における座面のａ辺の端面同士を突き合わせ、平面視において、ほぼ八辺形に組合わせて形成してある。
【００３２】
なお、Ａベンチ（１１）としては、図１に示した座面を備えるものを用いてある。
【００３３】
図８に示す組合わせベンチ（１２）は、６個のＡベンチ（１３）を、隣接するＡベンチ（１３）における座面のｂ辺の端面同士を突き合わせて、平面視において、ほぼ十二辺形に組合わせて形成してある。
【００３４】
図７、図８に示す組合わせベンチ（１０）（１２）は、いずれも放射状に広がる変化に富んだデザインを有する、８〜１２名を対象とする組合わせベンチである。
【００３５】
さらに、本発明の組合わせベンチは、前記Ｂベンチのみを用い、その複数個を、等長辺の端面同士を突き合わせて組合わせることによっても形成することができる。
【００３６】
図９は、Ｂベンチのみを用いて形成した組合わせベンチ（１４）の斜視図である。
【００３７】
３個のＢベンチ（１５）を用い、Ｂベンチ（１５）における座面のｅ辺の端面同士を突き合わせて一列に配置することにより形成されている。
【００３８】
この実施形態の組合わせベンチ（１４）は、対象とする人数の多少に応じて、適宜個数のＢベンチ（１５）を用いて形成することができる。
【００３９】
【発明の効果】
本発明によれば、次の効果が奏せられる。
（１）　請求項１記載の発明によれば、特定の形状の座面を有する実質的に２種類のＡ、Ｂベンチだけを用いて、これらを組合わせることにより、デザイン上において極めて変化に富んだ各種の組合わせベンチを得ることができるばかりでなく、その組合わせベンチを使用する人数の変化に対しても幅広く対応することができるとともに、さらに使用する目的に応じて、たとえば、左右方向に広がるベンチや全方向に広がるベンチなど組合わせ形態の自由度が大きく、各種の用途に好適に対応することができる組合わせベンチを得ることができる。
【００４０】
（２）　請求項２記載の発明によれば、上記（１）項に記載した効果を、良好に得ることができる。
【００４１】
（３）　請求項３記載の発明によれば、デザインおよび機能上、一層変化に富んだ組合わせベンチを得ることができる。
【００４２】
（４）　請求項４記載の発明によれば、Ａ、Ｂベンチの組合わせが容易であるとともに、デザイン上もまとまりのよい組合わせベンチを得ることができる。
【００４３】
（５）　請求項５記載の発明によれば、１種類の形状の座面を有するベンチにより、デザイン上において変化に富み、かつ人数の変化に対しても幅広く対応することができる組合わせベンチを得ることができる。
【００４４】
（６）　請求項６記載の発明によれば、８名程度を対象にした、放射状に広がるデザインの組合わせベンチを簡単に得ることができる。
【００４５】
（７）　請求項７記載の発明によれば、１２名程度を対象にした、放射状に広がるデザインの組合わせベンチを簡単に得ることができる。
【００４６】
（８）　請求項８記載の発明によれば、１種類の形状の座面を有するベンチにより、人数の変化に対して幅広く対応することができる組合わせベンチを得ることができる。
【図面の簡単な説明】
【図１】本発明の組合わせベンチを形成するためのＡベンチにおける座面の平面図である。
【図２】Ａベンチにおける座面の変形例の平面図である。
【図３】同じくＢベンチにおける座面の平面図である。
【図４】本発明の代表的実施形態の組合わせベンチの斜視図である。
【図５】本発明の他の実施形態の組合わせベンチの斜視図である。
【図６】同じく、本発明の他の実施形態の組合わせベンチの斜視図である。
【図７】同じく、本発明の他の実施形態の組合わせベンチの斜視図である。
【図８】同じく、本発明の他の実施形態の組合わせベンチの斜視図である。
【図９】同じく、本発明の他の実施形態の組合わせベンチの斜視図である。
【符号の説明】
（１００）Ａベンチにおける座面
（２００）Ａベンチにおける座面の変形例としての座面
（３００）Ｂベンチにおける座面
（１）組合わせベンチ
（２）Ａベンチ
（３）Ｂベンチ
（４）組合わせベンチ
（５）Ｂベンチ
（６）Ａベンチ
（７）組合わせベンチ
（８）Ａベンチ
（９）Ｂベンチ
（１０）組合わせベンチ
（１１）Ａベンチ
（１２）組合わせベンチ
（１３）Ａベンチ
（１４）組合わせベンチ
（１５）Ｂベンチ
【図１】
2004129718.tif 000003
【図２】
2004129718.tif 000004
【図３】
2004129718.tif 000005
【図４】
2004129718.tif 000006
【図５】
2004129718.tif 000007
【図６】
2004129718.tif 000008
【図７】
2004129718.tif 000009
【図８】
2004129718.tif 000010
【図９】
2004129718.tif 000011